(57)【要約】【課題】この発明は、足場板の表面側だけをケレンする手段を有するケレン装置であって、他の複雑な構成を設けないことによりシンプルで安価なコストの足場板のケレン装置を開発・提供する事にある  【解決手段】足場板（Ｘ）を、送り機構（Ｙ）で順次搬送するケレン装置（１）において、該送り機構の中途に、昇降可能なケレン機（２０）を設け、且つ、搬送される足場板（Ｘ）のフック部（Ｘａ）を検知する近接センサー（３０）を送り機構（Ｙ）の上、下に設け、前記足場板（Ｘ）を下向きにセットして送り、中途で該ケレン機（２０）を上・下方向に昇降させて上昇時に、足場板（Ｘ）の表面側をケレンし、下降時に、足場板（Ｘ）のフック部（Ｘａ）を通過させるよう構成したことを特徴とする建築工事における仮設枠組用の足場板のケレン装置から構成されるものである。【選択図】  図２
2018031237.tif 000002
【特許請求の範囲】
【請求項１】
足場板を、ケレンするケレン装置において、
該ケレン装置に、昇降可能な機能を有するケレン機を設け、
前記足場板の表面側をケレンする
ことを特徴とする建築工事における仮設枠組用足場板のケレン装置。
【請求項２】
足場板を、送り機構で順次搬送するケレン装置において、
該機構の中途に、昇降可能なケレン機を用い、
且つ、搬送される足場板のフック部を検知する近接センサーを設け、
前記足場板を下向きにセットし、
該ケレン機を上・下方向に昇降させて
上昇時に、足場板の表面側ケレンし、
下降時に、足場板のフック部を通過させるよう構成した
ことを特徴とする建築工事における仮設枠組用足場板のケレン装置。
【請求項３】
前記送り機構が、下部はチェーンコンベア、上部はローラーであって、
該ローラーの外周に複数本の突起帯をローラー軸から放射状方向に設けた
ことを特徴とする請求項２記載の建築工事における仮設枠組用足場板のケレン装置。
【発明の詳細な説明】
【技術分野】
【０００１】
この発明は、建築工事で使用される仮設枠組足場の構成部材である足場板であって、該足場板に付着した付着物を除去するケレン装置に関するものである。
【背景技術】
【０００２】
従来、この種のケレン装置は多々存在しており、足場板に設けられているフック部の高さ、位置にも種類があり、そのまま搬送すると、フック部の高さの違いによりケレン刃物や機械が損傷してしまう恐れがあった。
【０００３】
例えば、足場板と建枠等他の部材とを兼用してケレンするケレン機が存在している。例えば、特許文献１のように。
【０００４】
また、足場板単独であってもその表面側と裏面側の両面を同時にケレンする装置も存在している。例えば、特許文献２や、特許文献３のように。
【０００５】
しかし、これらのケレン装置は、足場板と建枠等他の部材とを兼用してケレンするため、その構造は極めて複雑となり、また、足場板の表裏両面をケレンするため、ドレッサーと称するケレン機も上・下にそれぞれ設けなければならず、従ってコストも高くなるため低廉ンのケレ装置の出現が待ち望まれている。
【０００６】
また、足場板の両端部に設けられたフックは、足場板の厚みより突出して形成されており、この突出部分が存在しても搬送方向に搬送できるように構成したケレン装置も構成が複雑になることにより、コストも高くなるものであった。
【先行技術文献】
【特許文献】
【０００７】
【特許文献１】特開平９−２０６７０３号公報
【特許文献２】特許第３６７５９２２号公報
【特許文献３】特開平１１−５０６６０号公報
【発明の概要】
【発明が解決しようとする課題】
【０００８】
そこで、上記課題を解決する為に、この考案は、足場板の表面側だけをケレンする手段を有するケレン装置であって、他の複雑な構成を設けないことによりシンプルで安価なコストの足場板のケレン装置を開発・提供する事にある。
【課題を解決するための手段】
【０００９】
この発明の建築工事における仮設枠組用足場板のケレン装置は、
足場板を、ケレンするケレン装置において、
該ケレン装置に、昇降可能な機能を有するケレン機を設け、
前記足場板の表面側をケレンする
ことを特徴とする。
【００１０】
そして、
足場板を、送り機構で順次搬送するケレン装置において、
該機構の中途に、昇降可能なケレン機を用い、
且つ、搬送される足場板のフック部を検知する近接センサーを設け、
前記足場板を下向きにセットし、
該ケレン機を上・下方向に昇降させて
上昇時に、足場板の表面側ケレンし、
下降時に、足場板のフック部を通過させるよう構成した
ことを特徴とする。
【００１１】
さらに、
前記送り機構が、下部はチェーンコンベア、上部はローラーであって、
該ローラーの外周に複数本の突起帯を軸芯から放射状方向に設けた
ことを特徴とする。
【発明の効果】
【００１２】
この発明によると、ケレン装置はケレン機が、垂直方向に昇降してケレンするよう構成されており、しかも足場板の表面側を下に向けてセットし、足場板の表面側のみケレンする構成のため、余分な構造を設ける必要がなく、安価なコストで供給できる等の有益なる効果を奏する。
【図面の簡単な説明】
【００１３】
【図１】この発明の一実施例を示す正面図である。
【図２】この発明の一実施例を示す左側面図である
【図３】この発明の一実施例を示す平面図である
【図４】この発明に使用するケレン装置の一実施例を示す側面図である。
【図５】この発明に使用する足場板を示し、（Ａ）は幅広の足場板の一部を欠いた底面図であり、（Ｂ）は幅狭の足場板の一部を欠いた底面図であり、（Ｃ）は足場板の一部を欠いた側面図である。
【図６】この発明の作業手順を示す説明図である。
【００１４】
以下、この発明について詳述する。尚、この考案においては、以下の記述に限定されるものではなく、この考案の要旨を逸脱しない範囲においては適宜変更可能である。
【実施例】
【００１５】
そこで、この発明の一実施例を図１〜図６に基づいて詳述すると、足場板（Ｘ）をケレンするケレン装置（１）において、該ケレン装置に、昇降可能な機能を有するケレン機（２０）を設け，前記足場板（Ｘ）の表面側をケレンする
ことを特徴とする建築工事における仮設枠組用足場板のケレン装置から構成されるものである。
【００１６】
また、この発明の他の実施例を説明すると、足場板（Ｘ）を、送り機構（Ｙ）で順次搬送するケレン装置（１）において、該機構の中途に、昇降可能なケレン機（２０）を用い、
且つ、搬送される足場板のフック部（Ｘａ）を検知する近接センサー（３０）を設け、前記足場板（Ｘ）を下向きにセットし、該ケレン機を上・下方向に昇降させて上昇時に、足場板（Ｘ）の表面側をケレンし、下降時に、足場板（Ｘ）のフック部（Ｘａ）を通過させるよう構成したことを特徴とする建築工事における仮設枠組用足場板のケレン装置から構成されるものである。
【００１７】
さらに、この発明の他の実施例を説明すると、前記送り機構（Ｙ）は、上部に特殊ローラー（Ｙｂ），下部にはチェーンコンベア（Ｙａ）を設けており、該上部の特殊ローラー（Ｙｂ）にはその外周に複数本の突起帯（Ｙ２）をローラー軸（Ｙ１）から放射状方向に設けたことを特徴とする建築工事における仮設枠組用足場板のケレン装置である。
【００１８】
次に、前述の各発明の各構成要件を詳述すると、先ず、ケレンの対象となる足場板（Ｘ）の一例を述べると、図５（Ａ）の上部に示す４９５ｍｍの幅広や，  図５（Ｂ）の下部に示す２４０〜２５０ｍｍの幅狭があり、図５（Ｃ）に示すように、それぞれの側面厚は４０〜５０ｍｍである。また、長さに関しての制限はない。
【００１９】
また、送り機構（Ｙ）の詳細を説明すると、その一例としては、搬送路（Ｙｃ）を挟んで下部にチェーンコンベア（Ｙａ）と上部には特殊ローラー（Ｙｂ）を組み合わせて設けたものであり、これらはモーター等の昇降用駆動源（４ａ）により足場板（Ｘ）を搬送路（Ｙｃ）の一端から搬送し中途でケレンし、多端からケレンを終えた足場板（Ｘ）を取り出すものである。
【００２０】
なお、送り機構（Ｙ）は、足場板（Ｘ）のフック部（Ｘａ）の影響をなるべく受けないようチェーンコンベア（Ｙａ）とチェーンコンベア（Ｙａ）との間に余裕ある厚み幅(α）を持たせた搬送路（Ｙｃ）を設けている。例えば、図１（Ｃ）の左端に記載された程度の大型のフック部（Ｘａ´）は、足場板（Ｘ）から厚み幅（β）程突出しており、この厚み幅（β）が余裕幅（α）を通過することでスムーズな搬送を可能としている。また、足場板（Ｘ）の裏面側に位置する、大型のフック部（Ｘａ´）の厚み幅(θ）に対しては放射状に形成された特殊ローラー（Ｙｂ）の放射状の突起帯（Ｙ２）間のスペースが対応できるよう構成している。
【００２１】
また、図１（Ｃ）の左端に記載された程度の大型のフック部（Ｘａ´）より突出した厚み幅（β）がケレンする回転刃（２１ｃ）を損傷させる恐れがある為、従来の機種は、ケレンする回転刃（２１ｃ）の回転を緩く（遅く）して、ケレンを行っていた。しかし、この発明では、回転刃（２１ｃ）を含むタタキブラシ部（２１）がスクリュージャッキ（２２ａ）により上下方向に昇降することで、フック部（Ｘａ）の厚み幅（β）をかわしてケレンを行うことができ、ケレンに必要な出力を目いっぱい行えるものである。尚、フック部（Ｘａ）の感知は接近センサーである上センサー（３０ａ）と下センサー（３０ｂ）で行っている。
【００２２】
前記送り機構（Ｙ）の構成要件の一例を示すと、搬送路（Ｙｃ）下部に設けたチェーンコンベア（Ｙａ）の搬送用ローラー軸（Ｙ１）は、送り方向に対してケレン機（２０）を挟んで２列ずつ，計４本設けている。
【００２３】
そして、前記特殊ローラー（Ｙｂ）は、該ローラーの外周に複数本の突起帯（Ｙ２）をローラー軸（Ｙ１）から放射状方向に複数条設けた構造のローラーである。
【００２４】
前記ケレン機（２０）には、足場板（Ｘ）の表面側をケレンするタタキブラシ部（２１）と，該タタキブラシ部を昇降させる昇降部（２２）からなり、前期タタキブラシ部は、モーター等の駆動源（４ａ）により回転する回転軸（２１ａ）に軸着された円盤状の回転盤（２１ｂ）を設けている。そして、タタキブラシ部（２１）は、常時作動しており、その回転速度は、セット式のインバーターを用いて変更できるよう構成してもよい。
【００２５】
前記タタキブラシ（２１）を構成する回転盤には、放射状方向に４個の略輪状の回転刃（２１ｃ）を、固定肝（２１ｄ）を介してそれぞれ遊嵌して回転自在に取り付けており、前記各回転刃（２１ｃ）はそれぞれ前記回転盤（２１ｂ）の回転による遠心力により、回転盤の外周端より外方に突出した状態で回転して足場板（Ｘａ）の表面側をケレンする。
【００２６】
なお、各回転刃（２１ｃ）には、その外周端より突起した突起部（２１ｅ）を放射状方向に４箇所設けたものを示したが、その個数には限定しない。
【００２７】
さらに、前記タタキブラシ部（２１）を昇降させる昇降部（２２）は、昇降手段の一例としてスクリュージャッキ（２２ａ）が設けられている。該ジャッキ専用のモーター等の昇降用駆動源（４ｂ）を用いて図４に示すようにストローク幅（Ｓ）ほど上下方向に移動（昇降）させるものである。ジャッキ（２２ａ）のストロークは、図４中（Ｓ）に示すように、その一例を述べると、０〜５５ｍｍ、約１秒で上下限に到達する。（１．６７ｍｍ／１回転のため、約３３回転で到達）
【００２８】
また、近接センサー（３０）は２個からなり、前記送り機構（Ｙ）を挟んで上部には上センサー（３０ａ）、下部には下センサー（３０ｂ）を設けており、足場板（Ｘ）が搬送されて来た際、ケレン機（２０）は下センサー（３０ｂ）が検知しても作動せず、上センサー（３０ａ）が検知して昇降用の駆動源（４ｂ）が駆動し、スクリュージャッキ（２２ａ）が作動するものである。
【００２９】
そして、センサー（３０）は、ワーク（足場板）が送り機構（Ｙ）に送られてきて下センサー（３０ｂ）が検知しても昇降部（２２）は作動せず、上センサー（３０ａ）が検知して初めてスクリュージャッキ（２２ａ）が作動し、タタキブラシ部（２１）は上昇する。下センサー（３０ｂ）は、上センサー（３０ａ）がＯＮである限りでは上昇した状態を維持するものであり、下センサー（３０ｂ）が切れるとスクリュージャッキ（２２ａ）が作動し、直ぐに降下するものである。その間、タタキブラシ部（２１）は常時作動するものである。
【００３０】
なお、図６には、ケレン装置（１）の作業手順を示す説明図であり、（ａ）は、作業前でケレン装置（１）に足場板（Ｘ）が挿入される前の状態を示す。（ｂ）は、挿入された足場板（Ｘ）の前側のフック部（Ｘａ）を、下センサー（３０ｂ）が検知し、ケレン機（２０）を通過すると（ｃ）に示すように、ケレン機（２０）はケレンを開始する。
【００３１】
その際、ケレン機（２０）は、スクリュージャッキ（２２）の作動により上昇し、（ｄ）に示すように、足場板（Ｘ）の表面をケレンし続ける。
【００３２】
（ｅ）では、後部フック部が通過時にケレン機（２０）は下降して、足場板（Ｘ）はケレン装置より排出されるものである。
【００３３】
（ｆ）は、足場板（Ｘ）のケレンの終了し、ケレン装置（１）から排出されるものである。このように、（ａ）（ｂ）（ｃ）（ｄ）（ｅ）（ｆ）の各工程作業を順次繰り返すものである。
【産業上の利用可能性】
【００３４】
この発明の建築工事における仮設枠組用の足場板のケレン装置の技術を確立し、実施することにより、産業上利用できるものである。
【符号の説明】
【００３５】
１  ケレン装置
２０  ケレン機
２１  タタキブラシ部
２１ａ  回転軸
２１ｂ  回転盤
２１ｃ  回転刃
２１ｄ  固定肝
２１ｅ  突起部
２２  昇降部
２２ａ  スクリュージャッキ
３０  センサー
３０ａ  上センサー
３０ｂ  下センサー
４ａ  駆動源
４ｂ  昇降用駆動源
Ｓ  ストローク幅
Ｘ  足場板
Ｘａフック部
Ｘａ´大型のフック部
Ｙ  送り機構
Ｙ１  ローラー軸
Ｙ２  突起帯
Ｙａ  チェーンコンベア
Ｙｂ  特殊ローラー
Ｙｃ  搬送路
α  厚み幅
β  厚み幅
θ  厚み幅
【図１】
2018031237.tif 000003
【図２】
2018031237.tif 000004
【図３】
2018031237.tif 000005
【図４】
2018031237.tif 000006
【図５】
2018031237.tif 000007
【図６】
2018031237.tif 000008
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
足場板を、送り機構で順次搬送するケレン装置において、
該機構の中途に、昇降可能なケレン機を用い、
且つ、搬送される足場板のフック部を検知する近接センサーを設け、
前記足場板を下向きにセットし、
該ケレン機を上・下方向に昇降させて
上昇時に、足場板の表面側をケレンし、
下降時に、足場板のフック部を通過させるよう構成した
ことを特徴とする建築工事における仮設枠組用足場板のケレン装置。
【請求項２】
前記送り機構が、下部はチェーンコンベア、上部はローラーであって、
該ローラーの外周に複数本の突起帯をローラー軸から放射状に設けた
ことを特徴とする請求項１記載の建築工事における仮設枠組用足場板のケレン装置。